(57)【要約】【課題】より低い吸引速度を有し、任意のタイプの容器に適合された吸引装置を提供する。【解決手段】製品７を抽出するための手段を有する容器６を備えるディスペンサ内に存在する液体製品のための吸引装置は、中心軸線Ｘ周りに形成され、中心軸線Ｘと同軸であって、流入口１４及び流出口を有する製品の集中吸引路８と、集中吸引路８の流入口１４に結合された環状吸引手段とを備える。【選択図】図３
2017137130.tif 000002
【特許請求の範囲】
【請求項１】
液体製品（７）を抽出するための手段を有する容器（６）を備えるディスペンサ内に存在する前記液体製品のための吸引装置であって、前記吸引装置が、中心軸線Ｘ周りに形成され、
前記中心軸線Ｘと同軸であって、流入口（１４）及び流出口を有する製品の集中吸引路（８）と、
前記集中吸引路（８）の前記流入口（１４）に対して結合された環状吸引手段と
を備える吸引装置。
【請求項２】
前記環状吸引手段が、前記集中吸引路（８）の前記流入口（１４）の区分より大きい区分を有する環状吸引流入口を備えることを特徴とする、請求項１に記載の吸引装置。
【請求項３】
前記環状吸引流入口が、前記中心軸線Ｘに対して実質的に垂直に配向されていることを特徴とする、請求項２に記載の吸引装置。
【請求項４】
前記環状吸引手段が、前記集中吸引路（８）の前記流入口（１４）において開放した環状通路（１６）を画定する、前記製品を分流させるための本体を備えることを特徴とする、請求項１から３までのいずれか一項に記載の吸引装置。
【請求項５】
前記分流本体が、前記中心軸線Ｘ周りの回転体で構成されていることを特徴とする、請求項４に記載の吸引装置。
【請求項６】
前記本体が、
前記集中吸引路（８）の前記流入口（１４）に対応する中央開口部（１４）を備える上部（１）であって、前記上部（１）から延びる前記集中吸引路（８）を画成するソケット（１３）を備える上部（１）と、
前記上部（１）の形状に従う開口部のない下部（９）と
を備え、
前記環状通路（１６）が、前記上部（１）と前記下部（９）との間に画定されていることを特徴とする、請求項４又は５に記載の吸引装置。
【請求項７】
前記製品が前記環状通路（１６）から前記集中吸引路（８）へと流れることができるように、前記下部（９）が、開口領域（９２）を残したまま前記上部（１）に対して結合されていることを特徴とする、請求項６に記載の吸引装置。
【請求項８】
前記本体の前記下部（９）及び前記上部（１）が、２つの別個の部分で構成されていることを特徴とする、請求項６又は７に記載の吸引装置。
【請求項９】
前記本体の前記下部（９）及び前記上部（１）が、成形によって得られた単一の部分で構成されていることを特徴とする、請求項６又は７に記載の吸引装置。
【請求項１０】
前記本体が、可撓性材料から製造されていることを特徴とする、請求項４から９までのいずれか一項に記載の吸引装置。
【請求項１１】
前記下部（９）がドーム形状であることを特徴とする、請求項６から１０までのいずれか一項に記載の吸引装置。
【請求項１２】
前記本体の前記下部（９）が、成形後に得られた第１の安定した凹形と、反転により得られ、環状吸引のためのその作用的形状に対応する第２の安定した凸形との間で変形可能であることを特徴とする、請求項１１に記載の吸引装置。
【請求項１３】
前記上部（１）が、変形可能な縁シール（１２）を備える流出リング（１）で構成され、前記縁シール（１２）の変形によって、前記リング（１）を前記ディスペンサに取り付けるとき、空気が前記ディスペンサから排出されることを特徴とする、請求項６から１２までのいずれか一項に記載の吸引装置。
【請求項１４】
請求項１から１３までのいずれか一項に記載の吸引装置を有する容器（６）を備える、液体製品（７）のためのディスペンサ。
【請求項１５】
請求項１から１３までのいずれか一項に記載の吸引装置の製造方法であって、
前記上部（１）及び前記下部（９）を単一の成形で成形するステップであって、前記下部（９）が、前記上部（１）の湾曲部と対向する湾曲部を有する凹状ドーム形状である、成形するステップと、
前記上部（１）の湾曲部に従う湾曲部を有する凸状ドーム形状になるように、前記下部（９）を反転させるステップと
を含むことを特徴とする、製造方法。
【発明の詳細な説明】
【技術分野】
【０００１】
本発明は、製品を抽出するための手段を有する容器を備える、ディスペンサ内の液体製品のための吸引装置に関する。本発明は、さらに斯かる吸引装置を備える液体製品ディスペンサに関する。最後に、本発明は、斯かる吸引装置の製造方法に関する。
【０００２】
より詳細には、本発明は、特に製品を抽出するための手段を有する容器からの美容品又は医薬品の分注に適用可能である。
【０００３】
それは、剛性又は可撓性の容器であり得る。さらにそれは、エアレス容器又はエアレスでない容器であり得る。
【０００４】
エアレス容器の場合、顧客が製品を抽出するとき、容器内に負圧が生じ、抽出システムは、正確に動作し続けるためにこの負圧を超えなければならず、又は、たとえば、こうして形成された真空を補償するために、容器の内部体積が、容器が可撓性の場合には変形によって減少し、容器が剛性の場合には、シール手段を有する可動な基部によってピストンを介して減少する。
【背景技術】
【０００５】
製品を抽出するための手段は概してプッシュボタンと関連付けられたポンプで構成される。ポンプは、中央開口部を備える。製品は、容器がエアレスの場合には直接的に、容器がエアレスでない場合には、ポンプから延びるプランジャー配管を介してポンプの開口部に入る。両方の場合において、製品は、中央的な仕方でポンプに入る。これは、集中（ｃｅｎｔｒａｌｉｓｅｄ）吸引と称される吸引を含む。
【０００６】
このタイプの中央的吸引は製品が圧力損失なくポンプに直接的に入るため、高い吸引速度を有する。
【０００７】
しかしながら、脆弱な安定性を呈し、相変化し得るか、又は、透過性容器の場合においては、高速においてポンプのこのタイプの中央吸引に固有の吸引流れを生じさせ得る多くの製品が存在する。
【発明の概要】
【発明が解決しようとする課題】
【０００８】
本発明の目的は、より低い吸引速度を有し、任意のタイプの容器に適合される、吸引装置によって、様々な前述の不利な点を解決することにある。
【課題を解決するための手段】
【０００９】
本目的は、液体製品を抽出するための手段を有する容器を備えるディスペンサ内に存在する液体製品のための吸引装置であって、中心軸線周りに形成され、
−  中心軸線と同軸の、流入口及び流出口を有する製品の集中吸引路と、
−  集中吸引路の流入口に対して結合された環状吸引手段と
を備える吸引装置によって達成される。
【００１０】
本発明の主要な発想は、最初に環状的に、次いで集中的になされる製品の吸引に存する。製品は、したがって先行技術の経路とは異なる経路に従う。それはもはやポンプへ又はポンプに対して結合された配管へと直接的には集中吸引されずに、ポンプへと吸引される前に圧力損失を生じる環状吸引手段において分流される。この圧力損失は、ディスペンサの内側の製品の吸引速度が顕著に低減されるのを可能とし、こうしてその化学的特性を変化させる製品の相変化の現象、及び／又は見栄えの悪い吸引の現象の回避を可能とする。
【００１１】
有利には、前記環状吸引手段は、集中吸引路の流入口の区分より大きい区分を有する環状吸引流入口を備える。したがって、製品は、最初に、第１の比較的大きい、環状配置された流入口区分を通過し、それがその経路における角部を通るように押し進め、こうして減速させ、一方で大きい区分によって製品の圧力を減じ、次いで第２のより小さい、中央に配置された流出口区分を通り、区分における付加的な減少と共にそれがその経路における付加的な角部を通るように押し進め、さらに漸進的にその吸引速度を低下させる。
【００１２】
吸引は、こうして容器の内側で特定の仕方で、且つ、製品が容器内で安定したままであるように、いかなる超過速度も回避しつつ、ディスペンサからの製品流出の流れが顧客を満足させるのに十分であるように構成された速度で、実行される。
【００１３】
本発明に係る様々な実施例によれば、組み合わせて又は個別に、
−  環状吸引流入口が、中心軸線に対して実質的に垂直に配向され、
−  前記環状吸引手段が、集中吸引路の流入口において開放した環状通路を画定する、製品を分流させるための本体を備え、
−  分流本体が、中心軸線周りの回転体で構成され、
−  前記本体が、
−  集中吸引路の流入口に対応する中央開口部を有する上部であって、ソケットがこの上部から延びる集中吸引路を画成する、上部と、
−  上部の形状に従う開口部のない下部と
を備え、環状通路が上部と下部との間に画定され、
−  環状吸引流入口が下部の外周縁に配置され、
−  分注ヘッドを装備したポンプの吸引端部が前記ソケット内へと直接的に挿入され、
−  分注ヘッドを装備したポンプの吸引端部は、押された吸引配管によって容器の底部へと伸び、配管の吸引端部は、前記ソケット内へと挿入され、本実例は、エアレスでないディスペンサとエアレス・ディスペンサとの両方に適合され、
−  下部は、製品が環状通路から集中吸引路へと流れることができるように、開口領域を開放させたまま上部に対して結合され、
−  本体の下部及び上部は、２つの別個の部分で構成され、
−  本体の下部及び上部は、成形によって得られる単一の部分で構成され、
−  前記本体は、可撓性材料から作られ、
−  下部はドーム形状であり、
−  本体の下部は、成形後に得られる第１の安定した凹形と反転により得られる第２の安定した凸形との間で変形可能であり、環状吸引のためのその作用的形状に対応し、
−  上部は、変形可能な縁シールを備える流出リングで構成され、縁シールの変形は、リングをディスペンサに取り付けるとき、ディスペンサから空気を排出させる、ことを備え得、本例はエアレス・ディスペンサに適用される。
【００１４】
本発明は、さらに、上述したような製品のための吸引装置を有する容器を備える液体製品ディスペンサに関する。
【００１５】
最後に、本発明は、上述したような吸引装置の製造方法であって、
−  上部及び下部を単一の成形で成形するステップであって、下部が上部の湾曲部と対向する湾曲部を有する凹状ドーム形状である、成形するステップと、
−  上部の湾曲部に従う湾曲部を有する凸状ドーム形状になるように下部を反転させるステップと
を備える製造方法に関する。この方法は、全吸引装置が一度に成形されるのを可能とし、こうして単一の部分が得られるのを可能とするため、かなり好適であり、これは、装置を製造するときにかなりの時間を削減する。これは、次いで高価な固定手段を有しなければならず、実装が複雑な、２つの部分の組立体（下部及び上部）と比較して装置の製造が、簡易化されることをさらに可能とする。
【００１６】
上部が流出リングで構成されるとき、前記リングは、概して液体製品のエアレス・ディスペンサを備える。
【００１７】
この流出リングは、容器の内側に挿入されるように設計される保護部分の内側に収容される変形可能な縁シールを備え、縁シールの変形は、リングを容器内に取り付けるときに、空気を容器から排出させる。
【００１８】
この発想は、その製造時からそれがディスペンサに取り付けられるまで、流出リングの脆弱な縁を保護するよう意図された、保護部分を規則的に連結させることに存する。
【００１９】
流出リングの目的は、ディスペンサを組み立てるときに容器内に存在する残留空気を排出することにある。流出リングは、それが戻り空気がない状態で使用され得るように、ディスペンサを組み立てるときにのみ起動される。一度ディスペンサが使用され、製品投与量を移送すると、流出リングは、もはや使用されない。容器内に空気がないことは、容器の変形によって、又は可動なピストンによって、次いで確実とされる。
【００２０】
本発明に係る様々な実施例によれば、組み合わせて又は個別に、
−  流出リングは、保護部分と協働する保持及びくさび留め手段を有し、
−  保持及びくさび留め手段は、保護部分から延びる中央スリーブ内に挿入され且つくさび留めされたソケットで構成され、
−  流出リングの軸線方向のソケットは、保護部分の中央スリーブ内へと挿入され、
−  流出リングは、前記縁シールによって環状に延ばされたキャップによって形成され、
−  前記縁シールは凹部を介してキャップの縁部に対して結合し、支持することにより保護部分の内壁に対して押圧し、
−  前記保護部分は、中央スリーブがそこから延びる中央開口部と、ディスクの外縁に対して結合された周縁スカートシールとを有するディスクで形成され、流出リングの周縁シールは、保護部分の前記周縁スカートシールの内壁に対して支承し、
−  保護部分のディスクは、環状区分を有し、
−  保護部分のディスクは、楕円区分を有し、
−  保護部分は、製品ディスペンサの分注ヘッドに属するネックで構成され、
−  ネックは、分注ヘッドを備えるポンプにおいて固定され、
−  容器上で分注ヘッドを組み立てるとき、流出リングの縁が過圧によって弾性的に変形する
ことを備えることができる。
【００２１】
本発明は、添付の概略的図面を参照にしつつ、完全に例示の、非限定的実例によって呈示される、本発明に係る少なくとも１つの実施例の以下の詳細な説明の全体を通してより理解され、さらにその目的、詳細、特徴及び利点は、さらに明確になる。
【図面の簡単な説明】
【００２２】
【図１】先行技術による、吸引装置を有する分注ヘッドの断面図を示す。
【図２】本発明に係る１つの可能な構成による、吸引装置を有する分注ヘッドの断面図を示す。
【図３】容器において組み立てられた図２の分注ヘッドを示す。
【図４】成形段階後の図２及び図３の吸引装置の斜視図を示す。
【図５】反転段階後の図２及び図３の吸引装置の斜視図を示す。
【発明を実施するための形態】
【００２３】
様々な図において示される吸引装置は、液体又は半液体製品７のディスペンサに取り付けられることを意図される。
【００２４】
以降記載される実施例は、空気なしで動作するディスペンサに限定され、これは「エアレス」ディスペンサと称されることがある。
【００２５】
しかしながら、前述したように、本発明に係る吸引装置は、空気ありで動作するディスペンサにおいて同様に取り付けられ得る。
【００２６】
図１は、
−  プッシュボタン４と、
−  容器（図示せず）からプッシュボタン４へと製品を運ぶポンプ５と、
−  ポンプ５に取り付けられたネック２と、
−  ネック２に取り付けられてポンプ５が隠されるのを可能とする仕上げカラー３と
の要素を従来備える、先行技術による分注ヘッドを示す。
【００２７】
この場合、容器は、バッグ・タイプの可撓性容器又はボトル・タイプの剛性容器で構成され得る。この容器は、ディスペンサが空気なしで動作するのを可能とするピストン又は任意の他のシステムを含んでもよく、含まなくてもよい。
【００２８】
こうした分注ヘッドは、包装作業の間、容器において組み立てられたときに残留空気を含み得る。この残留空気は、分注される製品の使用を妨げ得る。
【００２９】
この目的を達成するため、可撓性流出リング１が分注ヘッドに対して付加され、ディスペンサの通常の使用の前に空気排出機能が提供されるのを可能とする。
【００３０】
この流出リング１は、分注ヘッドのネック２に対して固定される。
【００３１】
より詳細には、これは、面取りされ、分注ヘッドの中心軸線に対応するリング１の中心軸線Ｘに対して垂直に方向付けられた縁シール１２によって側方に外側へと延ばされたキャップ１１内に構成される。この縁１２は、たとえば低密度ポリエチレンの可撓性材料から概して作られ、或いはエラストマベースの材料からも作られ、特にその細い端部において壊れやすく、小さな応力によって容器の内壁に対して当接することが意図される。
【００３２】
流出リング１は、キャップ１１において中央化され、キャップ１１において形成された開口部１４で開放する集中吸引路８を画定する、軸線方向のソケット１３をさらに備える。この開口部１４は、集中吸引路８の流入口で構成される。
【００３３】
このソケット１３は、ポンプ５に対して固定され得るようなクリッピング手段を有する。
【００３４】
リング１は、こうしてポンプ５に対して固定されて分注ヘッドの下部から突出する。縁１２は、ネック２から隙間ｅにより分離される。縁１２は、こうしてそれを覆ういかなる保護もなく露出され、このようにリング１を装備された分注ヘッドの積み荷貯蔵の間、損傷され得る。
【００３５】
この分注ヘッドを容器に取り付けるとき、リングは、過圧により容器を押し出す。これは、以下の図においてより詳細に説明される。
【００３６】
排出が完了したとき、ディスペンサは使用の準備が整う。使用者は、次いで分注ヘッドのプッシュボタン４を押圧することによって、容器内に含まれた製品の投与量を抽出できる。
【００３７】
容器内に含まれた製品は、次いで吸引され、集中吸引路８の流入口１４を通過し、次いでソケット１３の集中吸引路８を通過し、次いでプッシュボタン４へと運ばれるようにポンプ５へと至り、ディスペンサから吐出される。
【００３８】
容器内に存在する製品は、こうして軸線Ｘに沿って直接的に集中吸引路８に入る。吸引速度は、プッシュボタン４が押圧されるときに抽出される製品の量を制限する集中分配路の流入口区分を除いて製品の経路内に障害がないため、比較的高い。それらの安定性に関して特定の脆性量を有する製品に関し、静的状態から高速移動状態へと突然製品７を移送するこの吸引は、製品を相変化させ、且つ／又は特に容器が透明であるときに比較的見栄えの悪い吸引流れを生じさせ得る。
【００３９】
図２は、本発明に係る分注ヘッドを示す。これは、ネック２及び流出リング１を除き、同じ参照符号を用いる要素に関して図１のものと類似する。
【００４０】
実際、ネック２は、ここで、その縁１２を保護するためにリング１へと延びる周縁スカート２４を有する。
【００４１】
より詳細には、ネック２は、従来、たとえば、中央スリーブ２３がそこから延びる中央開口部を有する環状又は楕円区分のディスク２１を備え、そこにポンプ５の下部が挿入される。このネック２は、従来、プッシュボタン４へと方向付けられ、仕上げカラー３の中央化及びくさび留めを可能とする、環状返し部２２をさらに備える。この返し部に加え、前述のように、ネック２は、本発明によれば、ディスク２１の縁部に結合されて環状返し部２２と対向する方向へと延びる、周縁スカート２４を備える。リング１の縁１２は、図１を参照しつつ説明された実施例の場合のように、この周縁スカート２４の内壁に対して当接する。
【００４２】
分注ヘッドと容器との間の気密性は、リング１によっては提供されないが、ネック２の周縁スカート２４によって提供される。このスカート２４は、こうして容器の内壁に対してシールされて当接する。
【００４３】
リング１は、しかしながら、面取りされているが、明らかに、より鈍角のキャップ１１をさらに備え、リング１の高さの顕著な低減を可能とする。したがって、リング１の空間要求は、先行技術と比較して低減され、製品体積の等しい、より小型のディスペンサの製造を可能とする。キャップはさらに半球形となり得る。
【００４４】
縁シール１２は、リング１の中心軸線Ｘと平行に方向付けられる。この縁１２は、凹部１５を介してキャップ１１の縁に対して結合する。縁１２は、支持によりネック２の周縁スカート２４の内壁と接触する。流出リング１の縁１２は、こうしてネック２のスカート２４内に収容される。この縁１２は、こうして分注ヘッドの積み荷包装の場合に保護され、それらのシールは、容器６における組み立て前にチェックされ得る。ネック２は、こうしてリング１のための保護部分として機能する。
【００４５】
このリングの作用は、図３において示される。包装の間、ヘッドが容器６において押圧されるとき（すなわち、ディスペンサを組み立てるとき）、ネック２のスカートシール２４は、容器６内へ収容される。製品７内へとこのヘッドを低くすると、容器６において小さな過圧を生じさせ、これは、容器６内に存在する残留空気が容器６から逃げるためネック２のスカート２４とリング１の縁１２との間を通過し得るように、弾性的に流出リング１の縁１２を変形させる。この空気は、次いで、リング１とネック２との間のこの末端に提供される空間内に含まれる。可撓性の縁１２の上部の上における空気の排出後にこの同じ空間において液体製品７のわずかに溢れ出る流れは、２つの側方の矢印によって示されるように、組立体が完全に排気されるのを可能とする。
【００４６】
この容器６は、可撓性又は剛性であり得るものであり、製品７の体積の変動性に追従するため、ピストン（又は別のシステム）を含んでもよく、又は含まなくてもよい。
【００４７】
付加的な部分９が図２及び図３に示される。これはリング１の下に配置され、リング１に対して結合される。
【００４８】
この部分９は、軸線Ｘにおいて中心化される回転部分であり、軸線Ｘに対して直交して延びる。これは、好適には真上に配置されたキャップ１１の形状に従う。
【００４９】
示された実例において、キャップ１１は、ソケット１３が突出するその中央領域においてわずかに膨らんだ、概して平らな形状を有する。この膨らみは、この中央部分においてキャップ１１にわずかに曲面化された形状を付与する。部分９は、この曲面化された形状に従い、より詳細には、ドームで構成される。
【００５０】
部分９は、いかなる開口部も有しない。
【００５１】
この部分９は、集中吸引路８の流入口１４の前部において障害を形成する。分注するとき、製品は、もはや吸引路８に直接的に入ることができない。それは以下のように、別の経路を取らなければならず、
−  ディスペンサ内で圧力損失を生じさせる、部分９の下部表面を迂回し、
−  部分９の上部表面とリング１のキャップ１１の下部表面との間に画定された環状通路１６に入り、製品の流れる方向は、次いで軸線Ｘに対して直交し、
−  集中吸引路８に入り、製品の流れる方向は、次いで軸線Ｘと平行となる。
【００５２】
この経路は、図３の中央の矢印によって示される。
【００５３】
製品は、こうして部分９を迂回しなければならず、環状通路１６に入るのを可能とするために第１の狭い角部を通り、次いで集中吸引路８に入るのを可能とするために第２の狭い角部を通る。この経路は製品の吸引速度を顕著に低減させる。これはもはや集中吸引ではなく、環状吸引である。
【００５４】
環状通路１６の流入口区分は、集中吸引路８の流入口区分１４より大きい。製品の経路に沿った吸引区分におけるこの漸進的低減は、製品が突発的に移動（ｓｕｒｇｅ）せずに、その安定性が維持されるように、より緩やかに、より多くの流体吸引が得られるのを可能とする。
【００５５】
最後に、本発明に係る吸引装置は、リング１で構成される上部、及び部分９で構成される下部とからなる本体で構成される。環状通路１６の流入口は、部分９の外周縁９３において配置される。
【００５６】
リング１及び部分９は、従来の組み立て手段を介して結合される２つの別個の部分で構成され得る。
【００５７】
好適には、それらは、図４及び図５において示されるように、成形によって得られる単一の部分で構成され得る。この場合、リング１及び部分９は、単一の成形において成形される。しかしながら、こうした成形は、ドーム形状の部分９が、正確にこの領域の離型を可能とするための環状通路１６の内側へのアクセスを妨げるため、環状通路１６において離型問題を生じる。
【００５８】
成形を実現可能とするため、ドーム形状の部分９は、図４に示されるように、環状通路の区間を完全に開放する（ｃｌｅａｒ）ために、凹状湾曲部を有して成形される。この凹状湾曲部は、リング１のキャップ１１の中央部分のそれと対向する湾曲部で構成される。
【００５９】
部分９及びリング１のキャップ１１の中央部分は、製品が集中吸引路８へと通過するように、それらの間の開口領域９２を離して連結突出部９１を介して結合される。
【００６０】
リング１及び部分９の成形後、前記部分は、ドームとしての安定した位置を確実とするために、反転され、このときに凸状湾曲部を有し、リング１の中央部分の湾曲形状に従う。これは、図５に示される。
【００６１】
リング１及び部分９のために使用される材料は、部分９がこのように反転するのを可能とするため、弾性特性を有するエラストマ・タイプの可撓性材料で構成される。
【００６２】
吸引装置を作る本体は、こうして２つのステップのみで製造され、すなわち、上部１及び下部９を成形するステップ、及び、その下部９を反転させるステップである。
【００６３】
軸線Ｘの全周において一定の環状通路１６を維持するため、リング１のキャップ１１の下部表面においてリブ１７が提供され、このリブは、均一に分散される。これらのリブ１７は、リング１と共に成形される。部分９の上部表面は、こうしてこれらのリブ１７と接触し得、部分９の上部表面とリング１のキャップ１１の下部表面との間に一定の空間が残るのを可能とする。
【００６４】
前述の記載に関し、大きさ、材料、形状、機能及び作用、組み立て及び使用者の態様変形例を含む、本発明に係る部分のための最適な寸法関係は、当業者に明白及び明確なものとみなされ、図に示され、明細書に含まれたものと同等の任意の関係は、本発明に含まれるものとみなされる。
【符号の説明】
【００６５】
１    流出リング、上部
２    ネック
３    仕上げカラー
４    プッシュボタン
５    ポンプ
６    容器
７    液体又は半液体製品
８    集中吸引路
９    部分、下部
１１  キャップ
１２  縁、縁シール
１３  ソケット
１４  流入口、中央開口部
１５  凹部
１６  環状通路
１７  リブ
２１  ディスク
２２  環状返し部
２３  中央スリーブ
２４  周縁スカート
９１  連結突出部
９２  開口領域
９３  外周縁
【図１】
2017137130.tif 000003
【図２】
2017137130.tif 000004
【図３】
2017137130.tif 000005
【図４】
2017137130.tif 000006
【図５】
2017137130.tif 000007